(57)【要約】      （修正有）【課題】構成を簡素なものとすることで、製造コストの低減を図るとともに、御札と同時に鏡もお祀りでき、さらに、壁面にも容易に設置できる神棚を提供する。【解決手段】基部１０ａと、基部１０ａの上面に設けられた、御札２０の下部を差し込む第１溝と、基部１０ａの上面かつ第１溝より前に設けられた、鏡２１を差し込む第２溝と、を備え、さらに、基部１０ａの背面に蟻溝が設けられるとともに、蟻溝に対応する蟻桟を備え、蟻桟を壁面に予め取付け、その後に蟻桟と蟻溝とを係合させることにより壁掛け可能とする。【選択図】図１
0003198155.tif 000002
【実用新案登録請求の範囲】
【請求項１】
基部と、
前記基部の上面に設けられた、御札の下部を差し込む第１溝と、
前記基部の上面かつ前記第１溝より前に設けられた、鏡を差し込む第２溝と、
を備えることを特徴とする神棚。
【請求項２】
前記第２溝に代えて幣串を保持するための保持穴と、
前記保持穴に着脱可能な幣串と、
を備えることを特徴とする請求項１に記載の神棚。
【請求項３】
前記基部の上面かつ前記第１溝より前に設けられた幣串を保持するための保持穴と、
前記保持穴に着脱可能な幣串と、
をさらに備えることを特徴とする請求項１に記載の神棚。
【請求項４】
前記基部の背面に蟻溝が設けられるとともに、前記蟻溝に対応する蟻桟を備え、
前記蟻桟を壁面に予め取付け、その後に前記蟻桟と前記蟻溝とを係合させることにより壁掛け可能とすることを特徴とする請求項１ないし３のいずれか１項に記載の神棚。
【請求項５】
前記第１溝より後側に設けられた、前記御札が後方に倒れないよう支える支持部を備えることを特徴とする請求項１ないし４のいずれか１項に記載の神棚。
【請求項６】
前記蟻桟に、前記蟻桟を前記壁面に取付ける固定具が貫通する固定孔が複数設けられ、  前記固定孔が水平方向と斜め下方向に向けられていることを特徴とする請求項４又は５に記載の神棚。
【請求項７】
前記基部に彫刻が施されていることを特徴とする請求項１ないし６のいずれか１項に記載の神棚。
【考案の詳細な説明】
【技術分野】
【０００１】
本考案は、本格的な神棚がない場所においても、御札等をお祀りできる神棚に関する。
【背景技術】
【０００２】
古来より、日本の家屋には、御札等の御神体が粗末にならないよう、所定の場所に神棚を設置し、御札等をお祀りしてきた。しかし、マンションやアパート等の普及、及び住宅の洋式化により、神棚を設置する場所がない住宅が増加している。このような住宅にも御札をお祀りするために、例えば、特開平１１―１８９２０号公報に、対象とする御札の長さよりも若干大きめの寸法を有する背面部材と、該背面部材の基部を固定する溝および御札の下端を支持するための支持溝を備えた基礎部材と、前記背面部材の上端に固定する固定溝を備え、前方下がりに取り付け可能な屋根部材と、により構成される簡易神棚が開示されている。
【０００３】
また、実用新案登録第３１５１３０７号公報に、均一な厚みで左右対称に形成された背景盤の表面に和紙を張設し、前記背景盤の表面の中央部位に上枠側には突き上げ溝を、下枠側には前記突き上げ溝よりも浅い落とし溝を備えた御札を納める縦長長方形の御札入れ枠を配設し、さらに、前記御札入れ枠の下枠の下部にミニチュア鏡を載せる鏡棚を突設した壁掛け式神棚が開示されている。
【先行技術文献】
【特許文献】
【０００４】
【特許文献１】特開平１１―１８９２０号公報
【特許文献２】実用新案登録第３１５１３０７号公報
【考案の概要】
【考案が解決しようとする課題】
【０００５】
しかし、特許文献１に開示されている簡易神棚では、御札をお祀りすることはできるが、鏡（神鏡）をお祀りすることはできないという課題があった。また、背面部材、基礎部材、屋根部材と、少なくとも３つの主要部材を備えるため、その構成が複雑になりやすく、製造コストの増大を招く恐れがあるという課題もあった。
【０００６】
また、特許文献２に開示されている壁掛け式神棚では、鏡も同時にお祀りすることができるが、特許文献１同様にその構成が複雑になってしまうという課題があった。
【０００７】
本考案は、上記の点に鑑みなされたもので、構成を簡素なものとすることで、製造コストの低減を図るとともに、御札と同時に鏡もお祀りすることができる神棚を提供することを目的とする。
【０００８】
また、本考案の神棚の別の課題は、基部の背面に蟻溝が設けられるとともに、蟻溝に対応する蟻桟を備えることで、壁面にも容易に設置できる神棚を提供することを目的とする。
【課題を解決するための手段】
【０００９】
本考案の神棚は、
基部と、
前記基部の上面に設けられた、御札の下部を差し込む第１溝と、
前記基部の上面かつ前記第１溝より前に設けられた、鏡を差し込む第２溝と、
を備えることを特徴とする。
【００１０】
本考案の神棚によれば、第１溝によって御札の下部を基部の上面に差し込むことができ、また、第２溝によって鏡を基部の上面かつ御札の前に差し込むことができるため、簡単な構成ながら御札と鏡を同時にお祀りすることができる。
【００１１】
本考案の神棚の好ましい例は、
前記第２溝に代えて幣串を保持するための保持穴と、
前記保持穴に着脱可能な幣串と、
を備えることを特徴とする。
【００１２】
本考案の神棚の好ましい例によれば、鏡に代えて幣串を保持するための保持穴と、保持穴に着脱可能な幣串とを備えるため、鏡の代わりに御幣をお祀りすることができる。
【００１３】
本考案の神棚の好ましい例は、
前記基部の上面かつ前記第１溝より前に設けられた幣串を保持するための保持穴と、
前記保持穴に着脱可能な幣串と、
をさらに備えることを特徴とする。
【００１４】
本考案の神棚の好ましい例によれば、第１溝、第２溝に加えて、幣串を保持するための保持穴と、保持穴に着脱可能な幣串とをさらに備えるため、御札、鏡、御幣を同時にお祀りすることができる。なお、保持穴は第１溝の前方にあればよく、第２溝に対しては前後どちらに配置されても構わない。
【００１５】
本考案の神棚の好ましい例は、
前記基部の背面に蟻溝が設けられるとともに、前記蟻溝に対応する蟻桟を備え、
前記蟻桟を壁面に予め取付け、その後に前記蟻桟と前記蟻溝とを係合させることにより壁掛け可能とすることを特徴とする。
【００１６】
本考案の神棚の好ましい例によれば、壁面に予め取付けられる蟻桟と、前記蟻桟に対応する蟻溝を基部に備えるため、壁面に容易に御札等をお祀りすることができる。
【００１７】
本考案の神棚の好ましい例は、
前記第１溝より後側に設けられた、前記御札が後方に倒れないよう支える支持部を備えることを特徴とする。
【００１８】
本考案の神棚の好ましい例によれば、御札が後方に倒れないよう支える支持部を備えるため、神棚を箪笥、机等の上に載置させるとき、御札が後方に倒れないよう壁面に密着させる必要がなくなる。
【００１９】
本考案の神棚の好ましい例は、
前記蟻桟に、前記蟻桟を前記壁面に取付ける固定具が貫通する固定孔が複数設けられ、  前記固定孔が水平方向と斜め下方向に向けられていることを特徴とする。
【００２０】
本考案の神棚の好ましい例によれば、蟻桟が、水平方向と斜め下方向に向けられた複数の固定具で固定されるため、少ない固定具で蟻桟を壁面に強固に固定することができるとともに、壁面から蟻桟を取り外した際の固定具の跡を目立たなくさせることができる。なお、固定具とはピン、木ねじ、釘等の略棒状の部材を意図する。
【００２１】
本考案の神棚の好ましい例は、
前記基部に彫刻が施されていることを特徴とする。
【００２２】
本考案の神棚の好ましい例によれば、基部に彫刻が施されているため、美感を向上させることができるとともに、神棚の風格を上げることができ、御札等を粗末にすることがない。
【考案の効果】
【００２３】
以上説明したように、本考案の神棚によれば、構成を簡素なものとすることで、製造コストの低減を図るとともに、御札と同時に鏡もお祀りすることができる。
【００２４】
また、基部の背面に蟻溝が設けられるとともに、蟻溝に対応する蟻桟を備えることで、壁面にも容易に設置可能な神棚を提供することができる。
【図面の簡単な説明】
【００２５】
【図１】本考案の一実施形態に係る神棚を説明する図である。
【図２】図１に示す神棚の平面図である。
【図３】図１に示す神棚の右側面図である。
【図４】図１に示す神棚の背面図である。
【図５】支持部を備える神棚を説明する図である。
【図６】本考案の他の実施形態に係る神棚を説明する図である。
【図７】本考案のさらに他の実施形態に係る神棚を説明する図である。
【図８】蟻桟の取付け方法を説明する図である。
【考案を実施するための形態】
【００２６】
以下、本考案の神棚１の実施の形態について、添付図面を参照して詳細に説明する。図１は本考案の一実施形態に係る神棚１を説明する図、図２は図１に示す神棚１の平面図、図３は図１に示す神棚１の右側面図、図４は図１に示す神棚１の背面図、図５は支持部１８を備える神棚１を説明する図である。また、図６は本考案の他の実施形態に係る神棚２を説明する図、図７は本考案のさらに他の実施形態に係る神棚３を説明する図である。また、図８は蟻桟１２の取付け方法を説明する図である。
【００２７】
図１〜図４に示すように、本実施形態の神棚１は、基部１０ａと、第１溝１４と、第２溝１５と、保持穴１６と、幣串１７とを備える。なお、図２及び図３では御札２０、鏡２１、御幣２２の記載を省略し、図４では御札２０、御幣２２の記載を省略している。
【００２８】
基部１０ａは、その背面を除く面に雲をあしらった彫刻が施されている台であり、蟻溝１１と、前記蟻溝１１に対応する蟻桟１２とを備える。この蟻溝１１と蟻桟１２は、基部１０ａの背面に水平方向に設けられており、蟻桟１２を壁面等に固定した後、蟻溝１１を蟻桟１２に係合させることによって、基部１０ａを壁面等に設置することができる。また、蟻桟１２には、蟻桟１２を壁面等に固定する際に使用する固定具であるピン、木ねじ、釘等を貫通させるための固定孔１３が備えられる。本実施形態の神棚１では、蟻桟１２に３つの固定孔１３が設けられ、中央の固定孔１３は壁面に対して直角に固定具が刺さるよう水平に、両脇の固定孔１３は壁面に対して固定具が斜め下に向かって刺さるよう傾斜して設けられている。なお、基部１０ａは壁面等に設置するだけでなく、箪笥、机等の上に載置させることもできる。また、基部１０ａに施された彫刻は、本実施形態の雲をあしらったものに限られず、竜、風景等様々なものを採用することができる。
【００２９】
第１溝１４は、基部１０ａの上面のうち後方寄りに、基部１０ａの左右にわたって水平方向に設けられた溝で、御札２０の下部を差し込み固定することができる。そして、基部１０ａを壁面の近傍に載置させる、又は壁面に設置させ、御札２０の上部を壁面に当接させることで御札２０を立設させることができる。なお、本実施形態の神棚１では、御札２０を１枚しかお祀りしていないが、基部１０ａ及び第１溝１４を左右方向に拡幅し、御札２０を複数枚並列させてお祀りすることもできる。
【００３０】
第２溝１５は、基部１０ａの上面のうち第１溝１４より前方の、彫刻が施され一段高く構成されている場所に設けられた円弧状の溝であり、鏡２１を嵌めてお祀りすることができる。
【００３１】
保持穴１６は、基部１０ａの上面のうち、第１溝１４と第２溝１５との間に設けられる、断面長方形の穴であり、幣串１７を差し込み保持することができる。幣串１７は、前記保持穴１６に着脱可能に構成された断面長方形の棒状部材であり、その先端に御幣２２をお祀りする。なお、本実施形態の神棚１では、保持穴１６が第１溝１４と第２溝１５との間に設けられているが、保持穴１６を第２溝１５の前に設け、御幣２２を鏡２１の前にお祀りしてもよい。
【００３２】
また、図５に示すように、第１溝１４の後方に、御札２０が後方に倒れないよう支持する支持部１８を設けてもよい。支持部１８を備える構成とすることで、御札２０が後方に倒れなくなり、神棚１を箪笥や机の上面のうち、壁面近傍以外の場所に設置することが可能となる。
【００３３】
また、図６に示すように他の実施形態に係る神棚２として、基部１０ｂの上面に第１溝と第２溝のみを備え、幣串を支持する保持穴を備えない構成とすることもできる。係る場合、お祀りするのは御札２０と鏡２１となる。
【００３４】
また、図７に示すように、さらに他の実施形態に係る神棚３として、基部１０ｃの上面に第１溝と幣串を保持する保持穴とを備え、第２溝を備えない構成とすることもできる。係る場合、お祀りするのは御札２０と御幣２２となる。
【００３５】
次に、図４及び図８を参照して、本実施形態の神棚１の壁面への設置方法を説明する。先ず、図４に示すように、基部１０ａの蟻桟１２から蟻溝１１を水平方向に移動させ抜き取る。次に、図８に示すように、固定具であるピン３０を固定孔１３に挿入し、壁面に刺す。このとき、既に述べたように、中央の固定孔１３は水平方向に設けられているため、中央のピン３０は壁面に水平方向に刺さる。また、左右両脇の固定孔１３は傾斜して設けられているため、左右両脇のピン３０は壁面に斜め下方向に刺さる。次に、図４に示すように、蟻桟１２に蟻溝１１を差込み、係合させれば神棚１の壁面への設置が完了する。
【００３６】
以上、説明したように、これらの実施形態の神棚によれば、基部に第１溝、第２溝、保持穴、蟻溝、及び蟻桟等を付加した簡素な構成ながら、御札と同時に鏡若しくは御幣、又はその両方をお祀りすることができる。また、基部は、机等の上面に載置させることができるとともに、壁面等にも設置することができるため、本格的な神棚を設置することが困難な、マンション、アパート等においても容易に御札等をお祀りすることができる。
【００３７】
また、神棚を壁面等に設置する場合、蟻溝と蟻桟とを備えるため、特別な工事が不要となり、誰でも簡単に神棚を設置することができる。また、蟻桟を壁面等に固定するために用いられる複数の固定具が、異なる方向で壁面に刺さるため、強固に設置することができる。また、蟻桟を強固に設置できることで、固定具の本数を減らすことができるとともに、木ねじや釘等を使用しなくともピンで固定することもでき、神棚を外した際の壁面に残る固定具の跡を目立たなくすることができる。また、支持部を備えることで御札が後方に倒れなくなり、神棚を机等の上に載置したとき、載置する場所を自由に選択することができる。
【００３８】
なお、上述した神棚は本考案の例示であり、考案の趣旨を逸脱しない範囲において、その構成を適宜変更できる。
【符号の説明】
【００３９】
１，２，３・・神棚、
１０ａ，１０ｂ，１０ｃ・・基部、１１・・蟻溝、１２・・蟻桟、１３・・固定孔、１４・・第１溝、１５・・第２溝、１６・・保持穴、１７・・幣串、１８・・支持部
２０・・御札、２１・・鏡、２２・・御幣
３０・・ピン、３１・・壁
【図２】
0003198155.tif 000003
【図３】
0003198155.tif 000004
【図４】
0003198155.tif 000005
【図５】
0003198155.tif 000006
【図８】
0003198155.tif 000007
【図１】
0003198155.tif 000008
【図６】
0003198155.tif 000009
【図７】
0003198155.tif 000010